(57)【要約】【課題】防水シートのメンテナンス作業をするための作業スペースを広く確保できるようにする。【解決手段】メンテナンス方法は、屋根に取り付けられた太陽電池パネルの端部のうち、前記屋根に近接した近接端部を上昇させる上昇工程と、前記上昇工程にて近接端部が上昇された前記太陽電池パネルを上昇状態に保持する保持工程と、前記保持工程にて上昇状態に保持された太陽電池パネルの下方における前記屋根上の防水シートをメンテナンスするメンテナンス工程と、を含む。【選択図】図３
2014139380.tif 000002
【特許請求の範囲】
【請求項１】
屋根に取り付けられた太陽電池パネルの端部のうち、前記屋根に近接した近接端部を上昇させる上昇工程と、
前記上昇工程にて近接端部が上昇された前記太陽電池パネルを上昇状態に保持する保持工程と、
前記保持工程にて上昇状態に保持された太陽電池パネルの下方における前記屋根上の防水シートをメンテナンスするメンテナンス工程と、
を含む防水シートのメンテナンス方法。
【請求項２】
前記上昇工程は、前記近接端部を、前記屋根に近接していない非近接端部よりも高く上昇させる請求項１に記載の防水シートのメンテナンス方法。
【請求項３】
前記上昇工程は、前記屋根に固定された架台に対して蝶番により回動可能に取り付けられた前記非近接端部側を回動中心に前記近接端部を回動させて、前記近接端部を上昇させる請求項２に記載の防水シートのメンテナンス方法。
【請求項４】
太陽電池パネルの端部のうち、屋根に近接した近接端部を上昇可能に、前記太陽電池パネルを支持する架台本体と、
前記近接端部が上昇された前記太陽電池パネルを上昇状態に保持する保持部材と、
を備える太陽電池パネルの架台。
【請求項５】
前記架台本体は、前記近接端部を、前記屋根に近接していない非近接端部よりも高く上昇可能とされている請求項４に記載の太陽電池パネルの架台。
【請求項６】
前記架台本体に対して前記非近接端部が蝶番により回動可能に取り付けられている請求項５に記載の太陽電池パネルの架台。
【発明の詳細な説明】
【技術分野】
【０００１】
本発明は、防水シートのメンテナンス方法及び太陽電池パネルの架台に関する。
【背景技術】
【０００２】
特許文献１には、屋根材上に固着された固定部材に対して、蝶番を介して回動可能に取り付けられたソーラーパネルが開示されている。特許文献１の構成では、蝶番を回動中心にソーラーパネルを回動して、ソーラーパネルと屋根材との隙間を広げ、当該隙間に溜まっている木の葉や塵埃を除去するようになっている。
【先行技術文献】
【特許文献】
【０００３】
【特許文献１】特開２０１２−１６２８９４号公報
【発明の概要】
【発明が解決しようとする課題】
【０００４】
前述のように、特許文献１では、ソーラーパネルと屋根材との隙間に溜まっている木の葉や塵埃を除去することを目的としているため、作業スペースを大きくとる必要がない。このため、特許文献１の構成では、蝶番部分が屋根に近接した位置に配置されており、ソーラーパネルを屋根材から大きく離間できる構成とはなっていなかった。
【０００５】
しかしながら、陸屋根などに貼設された防水シートのメンテナンス作業（貼り替え作業を含む）を行う場合では、その作業スペースを広くとる必要があり、特許文献１の構成では、その作業スペースを広く確保できなかった。
【０００６】
本発明は、上記事実を考慮し、防水シートのメンテナンス作業をするための作業スペースを広く確保できるようにすることを課題とする。
【課題を解決するための手段】
【０００７】
請求項１に記載のメンテナンス方法は、屋根に取り付けられた太陽電池パネルの端部のうち、前記屋根に近接した近接端部を上昇させる上昇工程と、前記上昇工程にて近接端部が上昇された前記太陽電池パネルを上昇状態に保持する保持工程と、前記保持工程にて上昇状態に保持された太陽電池パネルの下方における前記屋根上の防水シートをメンテナンスするメンテナンス工程と、を含む。
【０００８】
このメンテナンス方法によれば、上昇工程において、屋根に取り付けられた太陽電池パネルの端部のうち、屋根に近接した近接端部を上昇させる。保持工程において、上昇工程にて近接端部が上昇された太陽電池パネルを上昇状態に保持する。メンテナンス工程において、保持工程にて上昇状態に保持された太陽電池パネルの下方における屋根上の防水シートをメンテナンスする。
【０００９】
ここで、請求項１のメンテナンス方法では、屋根に近接した近接端部を上昇させるため、屋根に近接していない非近接端部を上昇させる場合に比べ、防水シートのメンテナンス作業をするための作業スペースを広く確保できる。
【００１０】
請求項２に記載のメンテナンス方法は、前記上昇工程は、前記近接端部を、前記屋根に近接していない非近接端部よりも高く上昇させる。
【００１１】
このメンテナンス方法によれば、近接端部を非近接端部よりも高く上昇させる。このため、近接端部を非近接端部よりも低い位置までしか上昇できない場合に比べ、防水シートのメンテナンス作業をするための作業スペースをより広く確保できる。
【００１２】
請求項３に記載のメンテナンス方法は、前記上昇工程は、前記屋根に固定された架台に対して蝶番により回動可能に取り付けられた前記非近接端部側を回動中心に前記近接端部を回動させて、前記近接端部を上昇させる。
【００１３】
この構成によれば、近接端部を回動させて近接端部を上昇させるので、太陽電池パネル全体を上方へ持ち上げて上昇させる場合に比べ、近接端部を上昇させやすく、近接端部を上昇させる作業性がよい。
【００１４】
請求項４に記載の太陽電池パネルの架台は、太陽電池パネルの端部のうち、屋根に近接した近接端部を上昇可能に、前記太陽電池パネルを支持する架台本体と、前記近接端部が上昇された前記太陽電池パネルを上昇状態に保持する保持部材と、を備える。
【００１５】
この構成によれば、屋根に取り付けられた太陽電池パネルの端部のうち、屋根に近接した近接端部を上昇させ、その近接端部が上昇された太陽電池パネルを上昇状態に保持することができる。これにより、上昇状態に保持された太陽電池パネルの下方における屋根上の防水シートをメンテナンスする際において、屋根に近接していない非近接端部を上昇させる場合に比べ、防水シートのメンテナンス作業をするための作業スペースを広く確保できる。
【００１６】
請求項５に記載の太陽電池パネルの架台は、前記架台本体は、前記近接端部を、前記屋根に近接していない非近接端部よりも高く上昇可能とされている。
【００１７】
この構成によれば、近接端部を非近接端部よりも高く上昇できるので、近接端部を非近接端部よりも低い位置までしか上昇できない場合に比べ、防水シートのメンテナンス作業をするための作業スペースをより広く確保できる。
【００１８】
請求項６に記載の太陽電池パネルの架台は、前記架台本体に対して前記非近接端部が蝶番により回動可能に取り付けられている。
【００１９】
この構成によれば、近接端部を回動させて近接端部を上昇できるので、太陽電池パネル全体を上方へ持ち上げて上昇させる場合に比べ、近接端部を上昇させやすく、近接端部を上昇させる作業性がよい。
【発明の効果】
【００２０】
請求項１に記載の構成によれば、屋根に近接した近接端部を上昇させることで、防水シートのメンテナンス作業をするための作業スペースを広く確保できる。
【００２１】
請求項２に記載の構成によれば、近接端部を非近接端部よりも高く上昇させることで、防水シートのメンテナンス作業をするための作業スペースをより広く確保できる。
【００２２】
請求項３に記載の構成によれば、近接端部を回動により上昇させることで、近接端部を上昇させる作業性がよい。
【００２３】
請求項４に記載の構成によれば、屋根に近接した近接端部を上昇させることで、防水シートのメンテナンス作業をするための作業スペースを広く確保できる。
【００２４】
請求項５に記載の構成によれば、近接端部を非近接端部よりも高く上昇させることで、防水シートのメンテナンス作業をするための作業スペースをより広く確保できる。
【００２５】
請求項６に記載の構成によれば、近接端部を回動により上昇させることで、近接端部を上昇させる作業性がよい。
【図面の簡単な説明】
【００２６】
【図１】第１実施形態に係る太陽電池パネルの架台の構成を示す側面図である。
【図２】第１実施形態に係る太陽電池パネルの架台の構成を示す斜視図である。
【図３】図１に示す構成において、太陽電池パネルの近接端部を上昇させた状態を示す側面図である。
【図４】第２実施形態に係る太陽電池パネルの架台の構成を示す側面図である。
【図５】第３実施形態に係る太陽電池パネルの架台の構成を示す斜視図である。
【発明を実施するための形態】
【００２７】
以下に、本発明に係る実施形態の一例を図面に基づき説明する。
【００２８】
［第１実施形態］
（第１実施形態に係る太陽電池パネルの架台１０の構成）
まず、第１実施形態に係る太陽電池パネルの架台（以下、単に架台という）１０の構成を説明する。図１は、架台１０の構成を示す側面図である。図２は、架台１０の構成を示す斜視図である。
【００２９】
架台１０は、図１に示されるように、太陽電池パネル１２を支持する架台本体２０を備えている。架台本体２０は、陸屋根１００に沿って水平方向（図１におけるＹ方向）に配置された水平フレーム２２と、水平フレーム２２を陸屋根１００に取り付ける取付部材２４、２５と、を有している。なお、陸屋根１００上には、防水シート１０２が貼設されている。
【００３０】
図２に示されるように、水平フレーム２２及び取付部材２４、２５は、それぞれ、太陽電池パネル１２の幅方向（図２におけるＸ方向）一端部１２Ａ及び他端部１２Ｂにそれぞれ配置されている。すなわち、架台本体２０は、２つの水平フレーム２２と、２つの取付部材２４と、２つの取付部材２５と、を有している。なお、太陽電池パネル１２の幅方向（Ｘ方向）一端部１２Ａに配置された水平フレーム２２及び取付部材２４、２５と、太陽電池パネル１２の幅方向（Ｘ方向）他端部１２Ｂに配置された水平フレーム２２及び取付部材２４、２５とは、同様に構成されている。
【００３１】
本実施形態では、図２において、２つの取付部材２５のうちの一方のみが図示されている。また、図１では、太陽電池パネル１２の幅方向（Ｘ方向）一端部１２Ａに配置された水平フレーム２２及び取付部材２４、２５のみが図示されている。
【００３２】
各水平フレーム２２は、図１に示されるように、水平方向（Ｙ方向）に長さを有する棒状に形成されている。各取付部材２４は、各水平フレーム２２の長手方向一端部２２Ａ側（図１における左側）に配置されている。各取付部材２５は、各水平フレーム２２の長手方向他端部２２Ｂ側（図１における右側）に配置されている。
【００３３】
各取付部材２４、２５は、陸屋根１００から上方へ立設されるように、下部が陸屋根１００に対して固定されている。各取付部材２４、２５の下部は、アンカーボルト、その他の固定手段によって、陸屋根１００に対して固定されている。各取付部材２４、２５の上部は、ブラケット（固定部材）４０を介して水平フレーム２２に対して固定されている。具体的には、ブラケット４０がボルト４１によって各取付部材２４、２５の上部にねじ止めされることで、各取付部材２４、２５の上部が水平フレーム２２に対して固定されている。
【００３４】
また、架台本体２０は、図２に示されるように、２つの水平フレーム２２を連結する連結フレーム２８、２９を有している。連結フレーム２８は、２つの水平フレーム２２の間に配置され、２つの水平フレーム２２の長手方向一端部２２Ａ側を連結している。連結フレーム２９は、２つの水平フレーム２２の間に配置され、水平フレーム２２の長手方向他端部２２Ｂ側を連結している。
【００３５】
さらに、架台本体２０は、図１に示されるように、各水平フレーム２２に設けられ、太陽電池パネル１２の幅方向一端部１２Ａ（又は幅方向他端部１２Ｂ）を支持する支持部材２６、２７を有している。なお、太陽電池パネル１２の幅方向一端部１２Ａを支持する支持部材２６、２７と、太陽電池パネル１２の幅方向他端部１２Ｂを支持する支持部材２６、２７とは、同様に構成されている。
【００３６】
本実施形態では、図１及び図２において、太陽電池パネル１２の幅方向一端部１２Ａを支持する支持部材２６、２７のみを図示している。図１に示されるように、各支持部材２６は、各水平フレーム２２の長手方向一端部２２Ａ側に設けられている。各支持部材２７は、各水平フレーム２２の長手方向他端部２２Ｂ側に設けられている。
【００３７】
各支持部材２６は、水平フレーム２２の長手方向一端部２２Ａ側に固定される固定部２６Ａと、太陽電池パネル１２の長手方向一端部１２Ｃ側の裏面を支持する支持部２６Ｂと、支持部２６Ｂと固定部２６Ａとを連結する連結部２６Ｃと、を有している。この固定部２６Ａ、支持部２６Ｂ及び連結部２６Ｃは、一体に形成されている。
【００３８】
各固定部２６Ａは、ボルト４３によって水平フレーム２２の側面にねじ止めされることで、水平フレーム２２に対して固定されている。
【００３９】
各支持部２６Ｂは、水平フレーム２２の長手方向一端部２２Ａ側（図１における左側）に下がるように傾斜した板体で構成されている。各支持部２６Ｂの上面は、太陽電池パネル１２の裏面が載せられて太陽電池パネル１２を支持する支持面２６Ｄとなっている。
【００４０】
各連結部２６Ｃは、固定部２６Ａから立設された板体で構成されている。各連結部２６Ｃの下部は、固定部２６Ａの図１における左端部に連結されている。各連結部２６Ｃの上部は、支持部２６Ｂの図１における右端部に連結されている。
【００４１】
各支持部材２７は、水平フレーム２２の長手方向他端部２２Ｂ側から上方へ立設された棒状に形成されており、太陽電池パネル１２の長手方向他端部１２Ｄ側の裏面を支持する機能を有している。各支持部材２７は、ブラケット（固定部材）４４を介して水平フレーム２２に対して固定されている。具体的には、ブラケット４４がボルト４５によって支持部材２７及び水平フレーム２２のそれぞれにねじ止めされることで、支持部材２７が水平フレーム２２の上面に対して固定されている。
【００４２】
支持部材２７は、太陽電池パネル１２の長手方向一端部１２Ｃ側に対する支持部材２６の支持位置よりも高い位置で、太陽電池パネル１２の長手方向他端部１２Ｄ側を支持するようになっている。これにより、太陽電池パネル１２は、長手方向一端部１２Ｃが長手方向他端部１２Ｄよりも陸屋根１００に近接するように傾斜した状態で支持されるようになっている。すなわち、本実施形態では太陽電池パネル１２の端部のうち、太陽電池パネル１２の長手方向一端部１２Ｃが陸屋根１００に近接した近接端部とされ、太陽電池パネル１２の長手方向他端部１２Ｄが陸屋根１００に近接しない非近接端部とされている。
【００４３】
支持部材２７の上部には、蝶番３６が設けられており、蝶番３６を介して太陽電池パネル１２の長手方向他端部１２Ｄ側が取り付けられている。これにより、太陽電池パネル１２は、長手方向他端部１２Ｄを中心にして太陽電池パネル１２の幅方向（図２のＸ方向）に沿った軸線周りに長手方向一端部１２Ｃが回動可能とされている。
【００４４】
具体的には、太陽電池パネル１２は、長手方向一端部１２Ｃ（近接端部）が支持部材２６の支持面２６Ｄに載置された載置位置（図１及び図２に示す位置）と、長手方向一端部１２Ｃ（近接端部）が、長手方向他端部１２Ｄ（非近接端部）よりも高く上昇された上昇位置（図３に示す位置）と、の間を回動可能とされている。
【００４５】
太陽電池パネル１２の長手方向一端部１２Ｃ（近接端部）は、載置位置において、長手方向他端部１２Ｄ（非近接端部）よりも低い位置に位置するようになっている。また、太陽電池パネル１２は、載置位置が、太陽光発電を行う稼働位置とされている。
【００４６】
さらに、架台１０は、図２に示されるように、太陽電池パネル１２を上昇状態（上昇位置）に保持する保持部材３０を有している。保持部材３０は、長さを有する棒状に形成されている。保持部材３０の長手方向一端部３０Ｂは、一方の水平フレーム２２（図２の紙面手前側の水平フレーム２２）の長手方向一端部２２Ａ側に、Ｙ方向に沿った軸線周りに回動可能に取り付けられている。具体的には、保持部材３０は、起立して太陽電池パネル１２を上昇状態で保持する保持位置（図３に示す位置）と、傾倒して保持位置から退避した退避位置（図１及び図２に示す位置）との間を回動するようになっている。
【００４７】
保持部材３０の先端部には、図２に示されるように、フック等の係合部３０Ａが形成されている。係合部３０Ａは、太陽電池パネル１２の裏面に設けられた被係合部１３に係合されることで、太陽電池パネル１２を上昇状態で保持するようになっている。また、保持部材３０の先端部は、退避位置において、連結フレーム２８に対して着脱可能に保持されるようになっている。
【００４８】
また、本実施形態では、図１に示されるように、太陽電池パネル１２で生成された電気を送るための配線１４が、太陽電池パネル１２の長手方向他端部１２Ｄで接続されている。具体的には、太陽電池パネル１２における蝶番３６の回動中心よりも長手方向他端部１２Ｄ側（図１における右側）に接続されている。すなわち、太陽電池パネル１２の長手方向一端部１２Ｃが上昇した際に、長手方向他端部１２Ｄの支持部材２７に近づく部分に接続されている（図３参照）。このように、一端部が太陽電池パネル１２の長手方向他端部１２Ｄに接続された配線１４は、他端部側が、支持部材２７、水平フレーム２２に配されている。
【００４９】
（第１実施形態における陸屋根１００上の防水シート１０２のメンテナンス方法）
次に、第１実施形態に係る架台１０の作用として、陸屋根１００上の防水シート１０２のメンテナンス方法を説明する。
【００５０】
第１実施形態に係る防水シート１０２のメンテナンス方法では、まず、図３に示されるように、太陽電池パネル１２の長手方向他端部１２Ｄ側にある蝶番３６を回動中心にして、太陽電池パネル１２の長手方向一端部１２Ｃ（陸屋根１００に近接した近接端部）を回動させて、当該長手方向一端部１２Ｃを上昇位置に上昇させる（上昇工程）。
【００５１】
このとき、当該長手方向一端部１２Ｃは、長手方向他端部１２Ｄ（陸屋根１００に近接していない非近接端部）よりも高く上昇される。
【００５２】
次に、上昇工程にて長手方向一端部１２Ｃが上昇された太陽電池パネル１２を上昇状態に保持する（保持工程）。具体的には、保持部材３０を退避位置（図１及び図２に示す位置）から保持位置（図３に示す位置）へ回動させることで、保持部材３０を起立させると共に、保持部材３０の係合部３０Ａを、太陽電池パネル１２の裏面の被係合部１３に係合させて、太陽電池パネル１２を上昇状態で保持する。なお、前述の上昇工程及び保持工程によって本実施形態に係る方法を捉えた場合には、太陽電池パネル１２の保持方法として把握することができる。
【００５３】
次に、保持工程にて上昇状態に保持された太陽電池パネル１２の下方における陸屋根上１００の防水シート１０２をメンテナンス（保守点検）する（メンテナンス工程）。
【００５４】
具体的には、メンテナンス工程では、防水シート１０２の劣化状況を目視にて点検する。そして、防水シート１０２が劣化している場合には、陸屋根１００に貼設された防水シート１０２の一部又は全部を貼り替える。
【００５５】
このように、本実施形態では、太陽電池パネル１２の長手方向一端部１２Ｃ（陸屋根１００に近接した近接端部）を上昇させる。このため、太陽電池パネル１２の長手方向他端部１２Ｄ（陸屋根１００に近接していない非近接端部）を上昇させる場合に比べ、防水シート１０２のメンテナンス作業をするための作業スペースを広く確保できる。
【００５６】
また、本実施形態では、太陽電池パネル１２の長手方向一端部１２Ｃ（近接端部）を、長手方向他端部１２Ｄ（非近接端部）よりも高く上昇させる。このため、当該長手方向一端部１２Ｃ（近接端部）を長手方向他端部１２Ｄ（非近接端部）よりも低い位置までしか上昇できない場合に比べ、防水シート１０２のメンテナンス作業をするための作業スペースをより広く確保できる。
【００５７】
さらに、本実施形態では、太陽電池パネル１２の長手方向一端部１２Ｃ（近接端部）を回動させて、当該長手方向一端部１２Ｃ（近接端部）を上昇させるので、太陽電池パネル１２全体を上方へ持ち上げて上昇させる場合に比べ、当該長手方向一端部１２Ｃ（近接端部）を上昇させやすく、当該長手方向一端部１２Ｃ（近接端部）を上昇させる作業性がよい。
【００５８】
［第２実施形態］
（第２実施形態に係る太陽電池パネルの架台の構成）
次に、第２実施形態に係る架台２００について説明する。図４は、第２実施形態に係る架台２００の構成を示す側面図である。なお、第１実施形態と同一に構成された部分については、同一符号を付して、適宜、説明を省略する。
【００５９】
第２実施形態に係る架台２００では、図４に示されるように、架台本体２０のうち、取付部材２４、２５を除く部分（２つの水平フレーム２２、連結フレーム２８、２９及び２つの支持部材２６、２７などから構成される部分）全体を上昇可能に構成されている。
【００６０】
具体的には、架台２００は、架台１０における蝶番３６に代えて、ブラケット（固定部材）２３６を備えている。ブラケット（固定部材）２３６によって、太陽電池パネル１２の長手方向他端部１２Ｄが支持部材２７に対して固定されている。なお、太陽電池パネル１２の長手方向一端部１２Ｃは、支持部材２６に対して固定されていてもよい。
【００６１】
また、架台２００は、架台１０における保持部材３０を有していない。また、太陽電池パネル１２の裏面には、保持部材３０の係合部３０Ａが係合される被係合部１３も設けられていない。
【００６２】
さらに、架台２００は、水平フレーム２２が取付部材２４、２５の上部に対して着脱可能とされている。具体的には、ボルト４１をゆるめてブラケット４０から取り外すことで、各水平フレーム２２が取付部材２４、２５から取り外され、ブラケット４０がボルト４１によって各取付部材２４、２５の上部にねじ止めされることで、各取付部材２４、２５の上部に対して水平フレーム２２が装着されるようになっている。
【００６３】
また、架台２００は、取付部材２４、２５から取り外された水平フレーム２２と、その取付部材２４、２５との間に追加される追加部材（保持部材の一例）２２４、２２５を有している。
【００６４】
各追加部材２２４、２２５の下部は、例えば、ボルト２２３によって、各取付部材２４、２５の上部に対してねじ止めされることで、各取付部材２４、２５に取付可能となっている。
【００６５】
また、各追加部材２２４、２２５の上部は、例えば、ブラケット（固定部材）４０を介して水平フレーム２２に対して固定されるようになっている。具体的には、ブラケット４０がボルト４１によって各追加部材２２４、２２５の上部にねじ止めされることで、各追加部材２２４、２２５の上部が水平フレーム２２に対して固定されるようになっている。
【００６６】
（第２実施形態における陸屋根１００上の防水シート１０２のメンテナンス方法）
次に、第２実施形態に係る架台２００の作用として、陸屋根１００上の防水シート１０２のメンテナンス方法を説明する。
【００６７】
第２実施形態に係る防水シート１０２のメンテナンス方法では、まず、ボルト４１をブラケット４０から取り外して、各水平フレーム２２を取付部材２４、２５から取り外す。
【００６８】
次に、架台本体２０のうち取付部材２４、２５を除く部分（２つの水平フレーム２２、連結フレーム２８、２９及び２つの支持部材２６、２７などから構成される部分）を、複数の作業員で持ち上げることで、太陽電池パネル１２の長手方向一端部１２Ｃ（近接端部）を含む全体を上昇させる（上昇工程）。
【００６９】
次に、上昇工程において上昇された架台本体２０の水平フレーム２２と、各取付部材２４、２５との間に追加部材２２４、２２５を追加する。そして、図４に示されるように、各追加部材２２４、２２５の下部をボルト２２３によって、各取付部材２４、２５の上部に対してねじ止めする。また、ブラケット４０をボルト４１によって各追加部材２２４、２２５の上部にねじ止めすることで、各追加部材２２４、２２５の上部を水平フレーム２２に対して固定する。
【００７０】
このように、追加部材２２４、２２５によって、架台本体２０のうち取付部材２４、２５を除く部分が上昇状態で保持される。
【００７１】
次に、保持工程にて上昇状態に保持された太陽電池パネル１２の下方における陸屋根上１００の防水シート１０２をメンテナンス（保守点検）する（メンテナンス工程）。
【００７２】
具体的には、メンテナンスでは、防水シート１０２の劣化状況を目視にて点検する。そして、防水シート１０２が劣化している場合には、陸屋根１００に貼設された防水シート１０２の一部又は全部を貼り替える。
【００７３】
このように、本実施形態では、太陽電池パネル１２の長手方向一端部１２Ｃ（近接端部）及び長手方向他端部１２Ｄ（非近接端部）を含む太陽電池パネル１２の全体を上昇させる。このため、太陽電池パネル１２の一部を上昇させる場合に比べ、防水シート１０２のメンテナンス作業をするための作業スペースをより広く確保できる。
【００７４】
［第３実施形態］
（第３実施形態に係る太陽電池パネルの架台の構成）
次に、第３実施形態に係る架台３００について説明する。図５は、第３実施形態に係る架台３００の構成を示す斜視図である。なお、第１実施形態と同一に構成された部分については、同一符号を付して、適宜、説明を省略する。
【００７５】
第３実施形態に係る架台３００では、図５に示されるように、太陽電池パネル１２の幅方向他端部１２Ｂ（斜辺部分)を中心にして太陽電池パネル１２の長手方向（Ｓ方向）に沿った軸線周りに幅方向一端部１２Ａが回動するように構成されている。
【００７６】
具体的には、架台３００では、太陽電池パネル１２の幅方向一端部１２Ａに配置された支持部材２７の上部に対して、太陽電池パネル１２を接離可能に支持する支持体３３８が設けられている。
【００７７】
支持体３３８は、支持部材２７の上部に固定される固定部３３８Ａと、太陽電池パネル１２の長手方向他端部１２Ｄ側の裏面を支持する支持部３３８Ｂと、を有している。この固定部３３８Ａ及び支持部３３８Ｂは、一体に形成されている。
【００７８】
各固定部３３８Ａは、ボルト３４３によって支持部材２７の側面にねじ止めされることで、支持部材２７の上部に対して固定されている。
【００７９】
各支持部３３８Ｂは、水平フレーム２２の長手方向一端部２２Ａ側に下がるように傾斜した板体で構成されている。各支持部３３８Ｂの上面は、太陽電池パネル１２の裏面が載せられて太陽電池パネル１２を支持する支持面３３８Ｄとなっている。
【００８０】
また、架台３００は、蝶番３６に代えて、太陽電池パネル１２の幅方向他端部１２Ｂに配置された支持部材２６、２７の上部に設けられた蝶番３３６を備えている。なお、この支持部材２７の上部にも支持体３３８が取り付けられており、この支持体３３８の支持面３３８Ｄに対して蝶番３３６が固定されている。
【００８１】
この蝶番３３６を介して、太陽電池パネル１２の幅方向他端部１２Ｂが、支持部材２６、２７の上部に対して取り付けられている。これにより、太陽電池パネル１２は、幅方向他端部１２Ｂを中心にして太陽電池パネル１２の長手方向（Ｓ方向）に沿った軸線周りに幅方向一端部１２Ａが回動可能とされている。
【００８２】
具体的には、太陽電池パネル１２は、幅方向一端部１２Ａにおける長手方向一端部１２Ｃ（近接端部）が支持部材２６の支持面２６Ｄに載置されると共に、幅方向一端部１２Ａにおける長手方向他端部１２Ｄが支持体３３８の支持面３３８Ｄに載置される載置位置と、幅方向一端部１２Ａにおける長手方向一端部１２Ｃ（近接端部）及び幅方向一端部１２Ａにおける長手方向他端部１２Ｄが上昇された上昇位置（図５に示す位置）と、の間を回動可能とされている。
【００８３】
なお、上昇位置において、太陽電池パネル１２の幅方向一端部１２Ａ側の長手方向一端部１２Ｃ（近接端部）は、幅方向他端部１２Ｂ側の長手方向他端部１２Ｄ（非近接端部）よりも高く上昇されるようになっている。
【００８４】
保持部材３０は、係合部３０Ａが被係合部１３に係合されることで、太陽電池パネル１２を上昇状態（図５に示す上昇位置）に保持するようになっている。
【００８５】
（第３実施形態における陸屋根１００上の防水シート１０２のメンテナンス方法）
次に、第３実施形態に係る架台３００の作用として、陸屋根１００上の防水シート１０２のメンテナンス方法を説明する。
【００８６】
第３実施形態に係る防水シート１０２のメンテナンス方法では、まず、図５に示されるように、太陽電池パネル１２の幅方向他端部１２Ｂ側にある蝶番３３６を回動中心にして、太陽電池パネル１２の幅方向一端部１２Ａを回動させて、当該幅方向一端部１２Ａを上昇位置に上昇させる（上昇工程）。
【００８７】
このとき、太陽電池パネル１２の幅方向一端部１２Ａ側の長手方向一端部１２Ｃ（近接端部）は、幅方向他端部１２Ｂ側の長手方向他端部１２Ｄ（非近接端部）よりも高く上昇される。
【００８８】
次に、上昇工程にて幅方向一端部１２Ａが上昇された太陽電池パネル１２を上昇状態に保持する（保持工程）。具体的には、保持部材３０を退避位置から保持位置（図５に示す位置）へ回動させることで、保持部材３０を起立させると共に、保持部材３０の係合部３０Ａを、太陽電池パネル１２の裏面の被係合部１３に係合させて、太陽電池パネル１２を上昇状態で保持する。
【００８９】
次に、保持工程にて上昇状態に保持された太陽電池パネル１２の下方における陸屋根上１００の防水シート１０２をメンテナンス（保守点検）する（メンテナンス工程）。
【００９０】
具体的には、メンテナンスでは、防水シート１０２の劣化状況を目視にて点検する。そして、防水シート１０２が劣化している場合には、陸屋根１００に貼設された防水シート１０２の一部又は全部を貼り替える。
【００９１】
このように、本実施形態では、太陽電池パネル１２の幅方向一端部１２Ａ側の長手方向一端部１２Ｃ（陸屋根１００に近接した近接端部）を上昇させる。このため、防水シート１０２のメンテナンス作業をするための作業スペースを広く確保できる。
【００９２】
また、本実施形態では、太陽電池パネル１２の幅方向一端部１２Ａ側の長手方向一端部１２Ｃ（近接端部）は、幅方向他端部１２Ｂ側の長手方向他端部１２Ｄ（非近接端部）よりも高く上昇される。このため、当該長手方向一端部１２Ｃ（近接端部）を当該長手方向他端部１２Ｄ（非近接端部）よりも低い位置までしか上昇できない場合に比べ、防水シート１０２のメンテナンス作業をするための作業スペースをより広く確保できる。
【００９３】
（変形例）
なお、上記の第１〜第３実施形態では、上記上昇工程、上記保持工程を経て、メンテナンス工程として、防水シート１０２の劣化状況を点検していたが、これに限られず、例えば、太陽電池パネル１２の近接端部（長手方向一端部１２Ｃ）を上昇させる前において、防水シート１０２の劣化状況の点検し、防水シート１０２が劣化している場合に、上記上昇工程、上記保持工程を経て、メンテナンス工程として貼り替え作業を行ってもよい。
【００９４】
また、上記の第１及び第３実施形態では、保持部材３０が架台本体２０（水平フレーム２２）に取り付けられていたが、これに限られず、保持部材３０は、架台本体２０（水平フレーム２２）に取り付けられるのではなく、架台本体２０と分離した別部品として構成されていてもよい。この構成では、例えば、上昇位置に位置する太陽電池パネル１２の長手方向一端部１２Ｃ（第３実施形態では、幅方向一端部１２Ａ、以下同様）と、架台本体２０（水平フレーム２２）との間に保持部材３０を配置して、当該長手方向一端部１２Ｃと、当該架台本体２０とのそれぞれに、保持部材３０を固定して、太陽電池パネル１２が上昇状態（上昇位置）に保持される。
【００９５】
本発明は、上記の実施形態に限るものではなく、種々の変形、変更、改良が可能である。例えば、上記に示した変形例は、適宜、複数を組み合わせて構成しても良い。
【符号の説明】
【００９６】
１０   架台
１２   太陽電池パネル
１２Ｃ 長手方向一端部（近接端部の一例）
１２Ｄ 長手方向他端部（非近接端部の一例）
２０   架台本体
３０   保持部材
３６   蝶番
１００ 陸屋根（屋根の一例）
１０２ 防水シート
２００ 架台
３００ 架台
【図１】
2014139380.tif 000003
【図２】
2014139380.tif 000004
【図３】
2014139380.tif 000005
【図４】
2014139380.tif 000006
【図５】
2014139380.tif 000007